(57)【特許請求の範囲】
【請求項１】
通信対象物と無線通信を行うユーザが利用する電子機器であって、
当該電子機器は、
機器本体と、前記機器本体を装着部に装着するための装着部材と、
前記機器本体に設けられた第１の表示部と、
前記装着部材に設けられた第２の表示部と、
前記第１の表示部の周辺又は近傍に配置され、前記通信対象物と近接した状態で前記通信対象物との間で電波を送受信して前記無線通信を行うアンテナと、
前記アンテナを介して前記通信対象物と通信が可能な状態にあるか否かを判定する第１判定手段と、
前記第１判定手段により前記通信対象物と通信が可能な状態にあると判定された場合、前記通信対象物により、前記第１の表示部が前記ユーザに視認不可能な状態になっていると判定する第２判定手段と、
前記第２判定手段により、前記第１の表示部が前記ユーザに視認不可能な状態になっていると判定された場合、前記第２の表示部に前記無線通信の通信に関連する情報を表示させる表示制御手段と、
を備えたことを特徴とする電子機器。
【請求項２】
前記表示制御手段は、前記第２判定手段により、前記第１の表示部が前記ユーザに視認不可能な状態になっていると判定された場合、前記第１の表示部を非表示状態に設定することを特徴とする請求項１に記載の電子機器。
【請求項３】
機器本体と、前記機器本体を装着部に装着するための装着部材と、前記機器本体に設けられた第１の表示部と、前記装着部材に設けられた第２の表示部と、前記第１の表示部の周辺又は近傍に配置され、通信対象物と近接した状態で前記通信対象物との間で電波を送受信して無線通信を行うアンテナと、を備え、前記通信対象物と前記無線通信を行うユーザが利用する電子機器の制御方法であって、
前記アンテナを介して前記通信対象物と通信が可能な状態にあるか否かを判定する第１判定ステップと、
前記第１判定ステップにより前記通信対象物と通信が可能な状態にあると判定された場合、前記通信対象物により、前記第１の表示部が前記ユーザに視認不可能な状態になっていると判定する第２判定ステップと、
前記第２判定ステップにより、前記第１の表示部が前記ユーザに視認不可能な状態になっていると判定された場合、前記第２の表示部に前記無線通信の通信に関連する情報を表示させる表示制御ステップと、
を有することを特徴とする電子機器の制御方法。
【請求項４】
機器本体と、前記機器本体を装着部に装着するための装着部材と、前記機器本体に設けられた第１の表示部と、前記装着部材に設けられた第２の表示部と、前記第１の表示部の周辺又は近傍に配置され、通信対象物と近接した状態で前記通信対象物との間で電波を送受信して無線通信を行うアンテナと、を備え、前記通信対象物と前記無線通信を行うユーザが利用する電子機器のコンピュータを、
前記アンテナを介して前記通信対象物と通信が可能な状態にあるか否かを判定する第１判定手段、
前記第１判定手段により前記通信対象物と通信が可能な状態にあると判定された場合、前記通信対象物により、前記第１の表示部が前記ユーザに視認不可能な状態になっていると判定する第２判定手段、
前記第２判定手段により、前記第１の表示部が前記ユーザに視認不可能な状態になっていると判定された場合、前記第２の表示部に前記無線通信の通信に関連する情報を表示させる表示制御手段、
として機能させることを特徴とするプログラム。
【発明の詳細な説明】
【技術分野】
【０００１】
本発明は、電子機器及びその制御方法、プログラムに関する。
【背景技術】
【０００２】
近年、近距離無線通信（以下、「ＮＦＣ（Near Field Communication）通信」と記す）技術を利用した機器やシステムの普及が著しい。例えば、鉄道や路線バスの自動改札、店輔等におけるカード決済、社員の認証や入退室管理、情報掲示板による関連情報への誘導や提供等、多岐にわたり利用されている。一般に、ＮＦＣ通信システムは、通信対象物となるＩＣカードやＩＣタグ、あるいは、これらと同等の機能を搭載した携帯端末（以下、便宜的に「ＩＣカード等」と総称する）と、当該ＩＣカード等と通信を行って各種の情報の読取りや書込みを行うリーダー／ライターとしての電子機器と、を有している。通信対象物となるＩＣカード等、及び、リーダー／ライターとなる電子機器は、それぞれにループアンテナを有し、双方のループアンテナの位置が整合するように近接させて、電波（変調波）を送受信することにより通信が実行される。このようなＮＦＣ通信システムにおける通信方法については、例えば特許文献１に、また、ＩＣカード等や電子機器に設けられるループアンテナについては、例えば特許文献２に記載されている。
【０００３】
一方、近年、リストバンド型や腕時計型等の種々の形態を有し、人体に装着して運動状態や健康状態をモニタリングすることができる小型の電子機器（いわゆるウェアラブル端末）が急速に普及している。今後、このような機器に上述したＮＦＣ通信の技術を適用して、通信対象であるＩＣカード等の機能や、リーダー／ライターとしての機能を搭載することにより、様々な用途やサービスの実現が期待されている。
【先行技術文献】
【特許文献】
【０００４】
【特許文献１】特開２０１０−００９３５３号公報
【特許文献２】特開２０１１−０６６６２８号公報
【発明の概要】
【発明が解決しようとする課題】
【０００５】
上述したウェアラブル端末のような小型の電子機器に、ＮＦＣ通信におけるリーダー／ライターとしての機能を搭載する場合、実装スペースに制約があるため、通信対象物であるＩＣカード等に設けられたアンテナに対応した大きさのアンテナを設けることが困難になることが予想される。また、アンテナの大きさを確保するために、表示部等の電子機器の他の構成の近傍にアンテナを配置しなければならないことも予想される。その場合、ＩＣカード等との通信を行う際に、ＩＣカード等と電子機器のアンテナの位置を整合するように調整する必要が生じるが、例えば、電子機器の表示部にＩＣカード等との通信状態に関する情報（例えば電波の受信強度等）を表示することにより、ＩＣカード等と電子機器のアンテナの位置を良好に整合させることができる。
【０００６】
しかしながら、小型の電子機器の表示部の近傍にアンテナが配置された構成を有している場合には、ＩＣカード等を近接させて通信を行う際に、ＩＣカード等により電子機器の表示部が覆われて隠れてしまうことになり、ユーザは上記の通信状態を確認することができず、通信に失敗する可能性があるという問題を有している。
【０００７】
そこで、本発明は、上述した問題点に鑑み、近距離無線通信におけるリーダー／ライターとしての機能を搭載し、通信対象物であるＩＣカード等を近接させて通信を行う際に、ＩＣカード等との通信に関連する情報を確認して良好に通信を行うことができる電子機器及びその制御方法、プログラムを提供することを目的とする。
【課題を解決するための手段】
【０００８】
本発明に係る電子機器は、
通信対象物と無線通信を行うユーザが利用する電子機器であって、
当該電子機器は、
機器本体と、前記機器本体を装着部に装着するための装着部材と、
前記機器本体に設けられた第１の表示部と、
前記装着部材に設けられた第２の表示部と、
前記第１の表示部の周辺又は近傍に配置され、前記通信対象物と近接した状態で前記通信対象物との間で電波を送受信して前記無線通信を行うアンテナと、
前記アンテナを介して前記通信対象物と通信が可能な状態にあるか否かを判定する第１判定手段と、
前記第１判定手段により前記通信対象物と通信が可能な状態にあると判定された場合、前記通信対象物により、前記第１の表示部が前記ユーザに視認不可能な状態になっていると判定する第２判定手段と、
前記第２判定手段により、前記第１の表示部が前記ユーザに視認不可能な状態になっていると判定された場合、前記第２の表示部に前記無線通信の通信に関連する情報を表示させる表示制御手段と、
を備えたことを特徴とする。
【０００９】
本発明に係る電子機器の制御方法は、
機器本体と、前記機器本体を装着部に装着するための装着部材と、前記機器本体に設けられた第１の表示部と、前記装着部材に設けられた第２の表示部と、前記第１の表示部の周辺又は近傍に配置され、通信対象物と近接した状態で前記通信対象物との間で電波を送受信して無線通信を行うアンテナと、を備え、前記通信対象物と前記無線通信を行うユーザが利用する電子機器の制御方法であって、
前記アンテナを介して前記通信対象物と通信が可能な状態にあるか否かを判定する第１判定ステップと、
前記第１判定ステップにより前記通信対象物と通信が可能な状態にあると判定された場合、前記通信対象物により、前記第１の表示部が前記ユーザに視認不可能な状態になっていると判定する第２判定ステップと、
前記第２判定ステップにより、前記第１の表示部が前記ユーザに視認不可能な状態になっていると判定された場合、前記第２の表示部に前記無線通信の通信に関連する情報を表示させる表示制御ステップと、
を有することを特徴とする。
本発明に係るプログラムは、
機器本体と、前記機器本体を装着部に装着するための装着部材と、前記機器本体に設けられた第１の表示部と、前記装着部材に設けられた第２の表示部と、前記第１の表示部の周辺又は近傍に配置され、通信対象物と近接した状態で前記通信対象物との間で電波を送受信して無線通信を行うアンテナと、を備え、前記通信対象物と前記無線通信を行うユーザが利用する電子機器のコンピュータを、
前記アンテナを介して前記通信対象物と通信が可能な状態にあるか否かを判定する第１判定手段、
前記第１判定手段により前記通信対象物と通信が可能な状態にあると判定された場合、前記通信対象物により、前記第１の表示部が前記ユーザに視認不可能な状態になっていると判定する第２判定手段、
前記第２判定手段により、前記第１の表示部が前記ユーザに視認不可能な状態になっていると判定された場合、前記第２の表示部に前記無線通信の通信に関連する情報を表示させる表示制御手段、
として機能させることを特徴とする。
【発明の効果】
【００１０】
本発明によれば、近距離無線通信におけるリーダー／ライターとしての機能を搭載した電子機器において、通信対象物であるＩＣカード等を近接させて通信を行う際に、ＩＣカード等との通信に関連する情報を確認して良好に通信を行うことができる。
【図面の簡単な説明】
【００１１】
【図１】本発明に係る電子機器及び通信対象物の一実施形態を示す概略外観図である。
【図２】一実施形態に係る電子機器及び通信対象物（ＩＣカード等）の機能構成の一例を示すブロック図である。
【図３】一実施形態に係る電子機器の他の構成例を示す概略外観図である。
【図４】一実施形態に係る電子機器におけるＮＦＣ通信時の制御方法の一例を示すフローチャートである。
【図５】一実施形態に係る電子機器におけるＮＦＣ通信時の近接動作の一例を示す動作状態図である。
【図６】一実施形態に係る電子機器におけるＮＦＣ通信時の副表示部の表示例を示す概略図である。
【図７】一実施形態に係る電子機器におけるＮＦＣ通信時の近接動作の他の例を示す動作状態図である。
【発明を実施するための形態】
【００１２】
以下、本発明に係る電子機器及びその制御方法、プログラムについて、実施形態を示して詳しく説明する。
図１は、本発明に係る電子機器及び通信対象物の一実施形態を示す概略外観図である。図１において、図面右方には本実施形態に係る腕時計型の電子機器を示し、図面左方には通信対象物となるＩＣカードを示す。また、図２は、本実施形態に係る電子機器及び通信対象物（ＩＣカード等）の機能構成の一例を示すブロック図である。図３は、本実施形態に係る電子機器の他の構成例を示す概略外観図である。
【００１３】
（電子機器）
本発明に係る電子機器１００は、図１の右図に示すように、腕時計型やリストバント型の外観を有し、ＮＦＣ通信におけるリーダー／ライターとしての機能を搭載した機器本体１０２と、例えば人体の手首等の装着部に装着するためのベルト部（装着部材）１０４と、を有している。
【００１４】
電子機器１００の機器本体１０２は、図１、図２（ａ）に示すように、大別して、アンテナ１１０と、無線通信用回路１２０と、主表示部（第１の表示部）１３０と、入力操作部１５０と、演算処理回路（制御部）１６０と、メモリ部１７０と、電源供給部１８０と、を有し、また、ベルト部１０４は、副表示部（第２の表示部）１４０を有している。
【００１５】
アンテナ１１０は、例えば主表示部１３０の周囲を囲むように設けられたループアンテナ、あるいは、主表示部１３０の周辺又は近傍に設けられたループアンテナである。特に、図１に示すように、腕時計型の電子機器１００において、主表示部１３０の周囲を囲むようにループアンテナを設けることにより、機器本体１０２における主表示部１３０とアンテナ１１０の実装密度を向上させることができる。そして、電子機器１００と後述する通信対象物であるＩＣカード２００との間でＮＦＣ通信を行う場合には、双方のアンテナを近接させるとともに、双方のループアンテナにおける磁界の発生位置を整合させた状態として、無線通信用回路１２０により電波（変調波）を送受信することにより通信が実行される。ここで、本実施形態に係る電子機器１００において、アンテナ１１０は、ＩＣカード２００をアンテナ１１０に接近させてＮＦＣ通信を行っているときに、ＩＣカード２００により主表示部１３０の少なくとも一部が、例えば覆われて、隠れてしまう状態となる位置に設けられている。すなわち、主表示部１３０の少なくとも一部は、ＮＦＣ通信を行っている際に、その表示内容の少なくとも一部をユーザが視認できない状態になる。
【００１６】
無線通信用回路１２０は、ＩＣカード２００とＮＦＣ通信を行う際に、アンテナ１１０を介して電波（変調波）を送受信することにより、ＩＣカード２００との通信を可能として、ＩＣカード２００に保存された情報の読取りや書込み（更新）を行う。
【００１７】
主表示部１３０は、図１に示すように、機器本体１０２の視野側（図面上面側）に設けられ、少なくともＮＦＣ通信における操作ガイドや通信状態等に関する情報を表示する。また、電子機器１００が図２の機能ブロックにおいて、図示を省略した各種センサ（例えば加速度センサやＧＰＳ受信機等）をさらに備えている場合には、主表示部１３０は、これらのセンサにより取得された情報（例えばユーザの運動情報や位置情報等）や、時刻情報等を表示するものであってもよい。このような主表示部１３０は、例えば液晶方式や有機ＥＬ方式、電子ペーパー方式等の表示装置が適用される。ここで、本実施形態に係る電子機器１００において、主表示部１３０は、ＩＣカード２００をアンテナ１１０に接近させてＮＦＣ通信を行っているときに、ＩＣカード２００により少なくとも一部が隠れてしまい、その表示内容の少なくとも一部をユーザが視認できない状態となる位置に設けられている。
【００１８】
副表示部１４０は、図１に示すように、例えばベルト部１０４の一方の端部側（図面手前側のベルト部１０４の端部側）に設けられ、例えば、少なくともＮＦＣ通信における通信状態や通信結果を、色表示やレベラー表示、アイコン表示、数値表示、文字表示等の簡易的な表示形態で表示するインジケータとして機能する。また、電子機器１００が図２の機能ブロックにおいて、図示を省略したインターネットや携帯電話回線網等のネットワークへの接続機能部をさらに備えている場合には、副表示部１４０は、例えば、当該ネットワークを介して取得した情報（例えば電子メールの受信や電話の着信等）を簡易的な表示形態で表示するものであってもよい。このような副表示部１４０は、例えば発光ダイオード（ＬＥＤ）等の発光装置や、液晶方式や有機ＥＬ方式、電子ペーパー方式等の表示装置が適用される。ここで、本実施形態に係る電子機器１００において、副表示部１４０は、ＩＣカード２００をアンテナ１１０に接近させてＮＦＣ通信を行っているときに、ＩＣカード２００により覆われたり隠れたりしてしまうことはなく、副表示部１４０が、その表示内容の全体をユーザが視認できる位置に設けられている。
【００１９】
入力操作部１５０は、例えば主表示部１３０の視野側に設けられたタッチパネルや、機器本体１０２の側面や主表示部１３０の周辺に設けられた押しボタンやタッチセンサ等を有している。入力操作部１５０は、電子機器１００におけるＮＦＣ通信機能の起動や、主表示部１３０に表示されたメニューの選択、各種の設定等の入力操作に使用される。
【００２０】
演算処理回路１６０は、ＣＰＵ（中央演算処理装置）やＭＰＵ（マイクロプロセッサ）等の演算処理装置であって、所定のプログラムを実行することにより、ＮＦＣ通信における動作や、主表示部１３０及び副表示部１４０に情報を表示する動作、入力操作部１５０による各種の設定動作、メモリ部１７０への書込み、読出し動作等の、各種の動作を制御する。
【００２１】
メモリ部１７０は、ＮＦＣ通信によりＩＣカード２００との間で送受信される情報やデータを所定の記憶領域に保存する。また、メモリ部１７０は、ＮＦＣ通信を行う際に、主表示部１３０及び副表示部１４０に表示される各種の情報を保存する。また、メモリ部１７０は、無線通信用回路１２０や主表示部１３０、副表示部１４０等の、各構成における動作を実行するためのプログラムを保存する。
【００２２】
電源供給部１８０は、電子機器１００内部の各構成に駆動用の電力を供給する。電源供給部１８０は、例えばボタン型電池等の一次電池や、リチウムイオン電池等の二次電池が適用される。また、電源供給部１８０は、上記の一次電池や二次電池のほか、環境発電技術による電源等を、単独で、あるいは、併用して適用するものであってもよい。
【００２３】
（ＩＣカード）
本実施形態に適用されるＩＣカード２００は、図１の左図に示すように、カード型の外観を有し、カード部材２０２にＮＦＣ通信における通信対象物としての機能を搭載した構成を有している。
【００２４】
ＩＣカード２００は、図１、図２（ｂ）に示すように、大別して、アンテナ２１０と、無線通信用回路２２０と、演算処理回路２６０と、メモリ部２７０と、を有している。ここで、上述した電子機器１００と同等の構成については、その説明を簡略化する。
【００２５】
アンテナ２１０は、図１に示すように、カード部材２０２の特定の領域に設けられたループアンテナである。上述したように、電子機器１００とＩＣカード２００との間でＮＦＣ通信を行う場合には、双方のアンテナを近接させるとともに、双方のループアンテナにおける磁界の発生位置を互いに整合させることにより、通信が良好に実行される。
【００２６】
無線通信用回路２２０及び演算処理回路２６０は、アンテナ２１０を介して電波（変調波）が送受信されることにより、電子機器１００とＮＦＣ通信を行って、後述するメモリ部２７０に保存された情報の読出しや書込み（更新）を行う。また、演算処理回路２６０は、メモリ部２７０における記憶容量の残量（メモリ残量）等を管理する。また、メモリ部２７０は、例えばユーザ固有の認証情報や決済情報、各種のテキストデータや画像データ等を所定の記憶領域に保存する。これらの情報は、電子機器１００とＮＦＣ通信を行うことにより適宜読出しや書込み（更新）が行われる。
【００２７】
なお、本実施形態においては、図１に示したように、腕時計型の外観を有する電子機器１００のベルト部１０４の一方の端部側に副表示部１４０を設けた構成を示したが、本発明はこれに限定されるものではない。例えば図３に示すように、ベルト部１０４の途中（機器本体１０２と端部との中間）位置（図３（ａ）参照）に副表示部１４０を設けた構成や、ベルト部１０４の中間位置を含む比較的広い領域（図３（ｂ）参照）に副表示部１４０を設けた構成を適用するものであってもよい。後者の場合には、副表示部１４０は例えば湾曲可能（フレキシブル）な表示パネルを有して構成される。すなわち、本発明に適用される副表示部１４０は、後述するように、通信対象物であるＩＣカード２００を機器本体１０２に設けられたアンテナ１１０に近接させて重ね合わせた状態でＮＦＣ通信を行っているときに、ＩＣカード２００により覆われたり隠れたりしてしまうことはなく、表示内容の全体がユーザにより視認可能な位置に設けられているものであればよい。したがって、このような条件を満たす位置であれば、副表示部１４０はベルト部１０４以外に設けられているものであってもよい。
【００２８】
また、本実施形態においては、電子機器１００として腕時計型の外観を有し、人体に装着するためのベルト部１０４が機器本体１０２から特定方向に延在する構成を示したが、本発明はこれに限定されるものではない。ＮＦＣ通信におけるリーダー／ライターとしての機能を搭載した機器本体１０２を、人体の所定の部位等に装着することができる機構を有するものであれば、例えばクリップやストラップ、あるいは専用の固定具等を適用するものであってもよい。更には、人体に装着するものに限るものでもなく、例えば、人間以外の種々の動物に装着されるものであってもよく、また、種々の構造物や機械等に取り付けられるものであってもよい。
【００２９】
（電子機器の制御方法）
次に、上述した構成を有する電子機器の制御方法について、図面を参照して説明する。
図４は、本実施形態に係る電子機器におけるＮＦＣ通信時の制御方法の一例を示すフローチャートである。また、図５は、本実施形態に係る電子機器におけるＮＦＣ通信時の近接動作の一例を示す動作状態図である。また、図６は、本実施形態に係る電子機器におけるＮＦＣ通信時の副表示部の表示例を示す概略図である。また、図７は、本実施形態に係る電子機器におけるＮＦＣ通信時の近接動作の他の例を示す動作状態図である。
【００３０】
本実施形態に係る電子機器１００における制御方法は、例えば図４のフローチャートに示すように、まず、ユーザが腕に装着した電子機器１００の入力操作部１５０を操作することにより、あるいは、所定のプログラムが実行されることにより、演算処理回路１６０はＮＦＣ通信機能を起動する（ステップＳ１０２）。これにより、演算処理回路１６０は無線通信用回路１２０を制御して、一定の時間間隔でＩＣカード２００が近接した状態にあるか否かを検出する（ステップＳ１０４）。また、このとき、演算処理回路１６０は、主表示部１３０に、ＮＦＣ通信機能の動作状態や操作に関する情報（例えば「ＮＦＣ通信を開始します。カードをかざして下さい。」等のメッセージ）を表示する。
【００３１】
ここで、ステップＳ１０４において、具体的には、演算処理回路１６０は、無線通信用回路１２０により定期的に、アンテナ１１０を介して所定の電波を送信させて、当該電波を受信して通信可能状態になったＩＣカード２００からの応答信号を受信したか否かにより、ＩＣカード２００が電子機器１００に近接した状態にあって通信が可能な状態にあるか否かを判定する。また、演算処理回路１６０は、この判定結果に基づいて、機器本体１０２の主表示部１３０の少なくとも一部がユーザにより視認不可能な状態になっているか否かを判定する。
【００３２】
すなわち、無線通信用回路１２０によりＩＣカード２００からの応答信号を受信していない状態では、演算処理回路１６０は、図５（ａ）に示すように、電子機器１００とＩＣカード２００が離間した状態にあって、通信ができていない状態にあると判定するとともに、主表示部１３０はＩＣカード２００により隠されておらず、ユーザにより視認可能な状態にあると判定する。一方、ＩＣカード２００からの応答信号を受信した状態では、演算処理回路１６０は、図５（ｂ）に示すように、電子機器１００とＩＣカード２００が近接して重ね合わされた状態にあって、通信が可能な状態にあると判定するとともに、主表示部１３０は、ＩＣカード２００により少なくとも一部が隠れていて、その表示内容の少なくとも一部をユーザが視認できない状態になっていると判定する。
【００３３】
そして、ＩＣカード２００が電子機器１００に近接して通信が可能な状態にあると判定された場合（ステップＳ１０４のＹｅｓ）には、演算処理回路１６０は、ＩＣカード２００との間で所定の情報やデータを送受信するとともに、副表示部１４０に、当該ＮＦＣ通信における通信状態に関する簡易的な情報を表示する（ステップＳ１０６）。具体的には、副表示部１４０には、ＮＦＣ通信時のＩＣカード２００からの電波の受信強度やデータ転送状態等が、例えば図６（ａ）に示すような色表示（特定色での発光）や、図６（ｂ）に示すようなレベラー表示（階段表示やバー表示）や簡易な文字情報（メッセージ）、図６（ｃ）に示すような数値等で表示される。
【００３４】
ここで、副表示部１４０は、ＩＣカード２００をアンテナ１１０に接近させてＮＦＣ通信を行う際であっても、ＩＣカード２００により覆われたり隠れたりしてしまうことがない位置に設けられているので、ユーザは電子機器１００を腕に装着した状態で、副表示部１４０に表示された情報を視認することにより、ＮＦＣ通信における通信状態を的確に把握することができる。これにより、ユーザは、例えば通信状態が悪いときには、副表示部１４０に表示された情報を見ながらＩＣカード２００と電子機器１００の相互の位置を調整して、通信状態が良好となる位置に調整することができる。これにより、ユーザは、ＩＣカード２００と電子機器１００の双方のアンテナの位置が整合するように、相互の位置を適切に調整することを容易に行うことができて、ＮＦＣ通信が失敗することを防ぐことができる。また、このとき、主表示部１３０はＩＣカード２００により少なくとも一部が隠され、その表示内容の少なくとも一部をユーザが視認できない状態にあるので、演算処理回路１６０は、主表示部１３０を非表示状態に制御してもよい。これにより、ＮＦＣ通信時の電子機器１００における消費電力を抑制することができる。
【００３５】
次いで、演算処理回路１６０は、上記のＮＦＣ通信によりＩＣカード２００との間で所定の情報やデータが正常に送受信されて、通信が成功したか否かを判定する（ステップＳ１０８）。
【００３６】
ＮＦＣ通信が失敗した場合や異常が発生した場合（ステップＳ１０８のＮｏ）には、演算処理回路１６０は、副表示部１４０に通信結果として、通信が失敗したことを報知する情報（例えば赤色光点滅や、「通信が失敗しました」等の簡易なメッセージ）を表示する（ステップＳ１１０）。その後、演算処理回路１６０は、ステップＳＳ１０４に戻って、ＮＦＣ通信が成功するまで一連の処理動作を繰り返し実行する。これにより、ＩＣカード２００が電子機器１００に近接して重ね合わされ、ユーザにより主表示部１３０の少なくとも一部が視認できない状態にあっても、ユーザは副表示部１４０に表示された情報を視認することによりＮＦＣ通信が失敗したことを把握することができる。また、ユーザに再度のＮＦＣ通信の実行を促すことができる。
【００３７】
一方、ＮＦＣ通信が成功した場合（ステップＳ１０８のＹｅｓ）には、演算処理回路１６０は、主表示部１３０及び副表示部１４０に通信結果として、通信が成功したことを報知する情報やその通信内容等を表示する（ステップＳ１１２）。このとき、主表示部１３０及び副表示部１４０に表示する情報は、互いに同一又は同等のものであってもよいし、副表示部１４０に表示する情報を、主表示部１３０に表示する情報の一部としてもよいし、副表示部１４０に表示する情報を、主表示部１３０に表示する情報を簡易化した情報（例えば緑色光点灯や、「通信が成功しました」等の簡易メッセージ、データ転送容量、ＩＣカード２００のメモリ部２７０のメモリ残量等）としてもよい。その後、演算処理回路１６０は、ＮＦＣ通信に係る一連の処理動作を終了する。
【００３８】
このように、本実施形態においては、ＮＦＣ通信におけるリーダー／ライター機能を搭載した小型の電子機器１００において、機器本体１０２の主表示部１３０の近傍にＮＦＣ通信用のアンテナ１１０が設けられている。また、電子機器１００には、通信対象物であるＩＣカード２００を上記アンテナ１１０に近接させて重ね合わせた状態でＮＦＣ通信を行っているときに、ＩＣカード２００により覆われたり隠れたりしてしまうことはない位置（機器本体１０２から離れたベルト部１０４等の、ユーザにより視認できる位置）に簡易的な情報を表示する副表示部１４０が設けられている。
【００３９】
これにより、腕に装着した電子機器とＩＣカード等との間でＮＦＣ通信を行う際に、ＩＣカード等により主表示部の少なくとも一部が隠れてしまい、その表示内容の少なくとも一部をユーザが視認できない状態となる場合であっても、副表示部に受信強度等の、通信状態に関する情報が表示される。したがって、ユーザはこの表示に基づいて、ＩＣカード等と電子機器のアンテナの位置を整合するように調整することができ、ＮＦＣ通信の失敗を抑制して正常な通信を実現することができる。
【００４０】
なお、本実施形態においては、図５に示したように、腕時計型の電子機器１００にＩＣカード２００を近接して重ね合わせた状態でＮＦＣ通信を行う使用形態について説明したが、本発明はこれに限定されるものではない。上述したように、ＮＦＣ通信の通信対象物は、本実施形態に示したＩＣカードの他に、ＩＣタグを組み込んだ物品や取り付けた物品、あるいは、ＩＣカードやＩＣタグと同等の機能を搭載した電子機器や携帯端末等であってもよい。したがって、図７に示すように、ＩＣタグが埋め込まれた雑誌やポスター、情報掲示板、その他の物品を通信対象物３００として、電子機器１００を装着した手首ＵＳｈを回転させて、電子機器１００のアンテナ１１０を通信対象物３００のアンテナ３１０に近接させて重ね合わせた状態でＮＦＣ通信を行う使用形態であっても、本発明を良好に適用することができる。この場合においても、主表示部１３０は少なくとも一部が通信対象物３００に重ね合わされて隠れてしまうため、ユーザにより表示内容の少なくとも一部を視認することができないが、副表示部１４０は通信対象物３００に覆われたり隠れたりることはないので、ユーザにより副表示部１４０の表示内容を視認することができ、ＮＦＣ通信を正常に実行することができる。
【００４１】
また、上述した実施形態（図５参照）及び図７においては、電子機器１００をＮＦＣ通信におけるリーダー／ライターとして機能させる場合について説明したが、本発明はこれに限定されるものではなく、電子機器１００を上述した通信対象物として機能させるものであってもよい。すなわち、例えば図７において、通信対象物３００を、リーダー／ライター機能を搭載した電子機器（例えば自動改札機や自販機、決済端末、認証端末等）として読み替えて、これらの電子機器（３００）と本発明に係る電子機器１００との双方のアンテナを近接させてＮＦＣ通信を行う際に、その通信状態や通信結果を電子機器１００の副表示部１４０に簡易的な情報により表示するものであってもよい。
【００４２】
さらに、上述した実施形態に係る電子機器においては、電子機器１００と通信対象物であるＩＣカード２００との間でＮＦＣ通信を行う際に、副表示部１４０に通信状態に関する情報を表示する制御方法について説明したが、本発明はこれに加え、次のような制御動作を実行するものであってもよい。すなわち、電子機器１００は、ＮＦＣ通信を行っていない状態（非通信状態）にあり、かつ、ユーザにより主表示部１３０の表示内容の少なくとも一部が視認できない状態にあるときには、主表示部１３０に表示されている情報、又は、本来表示されるべき情報の一部を、副表示部１４０に簡易的な形態とした情報により表示するものであってもよい。具体的には、非通信状態になる電子機器１００が、例えば主表示部１３０が非表示状態に設定されている場合や、主表示部１３０がユーザの視野側にない場合等に、例えば電子メールの受信や電話の着信等の通知が、副表示部１４０に例えば色表示やアイコン表示、文字表示等の簡易的な情報により表示される。これにより、消費電力の大きい主表示部１３０を非表示状態にして、消費電力の小さい副表示部１４０で、ユーザに最低限の機能の通知や報知を行うことができ、ＮＦＣ通信時以外でも電子機器１００における消費電力を抑制することができる。
【００４３】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００４４】
（付記）
［１］
通信対象物と無線通信を行う電子機器において、
第１の情報を表示する第１の表示部と、
前記通信対象物と近接した状態で前記通信対象物との間で電波を送受信して前記無線通信を行うアンテナと、
前記通信対象物を前記アンテナに近接させて前記無線通信を行なっているときに、前記第１の表示部の位置と異なる位置で、且つ、前記通信対象物に覆われない位置で第２の情報を表示する第２の表示部と、
を有することを特徴とする電子機器。
【００４５】
［２］
前記第１の表示部は、前記通信対象物を前記アンテナに近接させて前記無線通信を行なっているときに、前記通信対象物によりユーザが視認できない領域が少なくとも一部に生じる位置に設けられていることを特徴とする［１］に記載の電子機器。
【００４６】
［３］
前記無線通信が行われているときに、前記第２の表示部に、前記第２の情報として、前記無線通信の通信状態に関連する情報を表示することを特徴とする［１］又は［２］に記載の電子機器。
【００４７】
［４］
前記第１の表示部は、前記無線通信が行われているときに非表示状態に設定されることを特徴とする［１］乃至［３］のいずれかに記載の電子機器。
【００４８】
［５］
前記第１の表示部が非表示状態に設定されているときに、前記第２の表示部に前記第２の情報を表示することを特徴とする［１］に記載の電子機器。
【００４９】
［６］
前記アンテナは、前記第１の表示部の周囲を囲む位置に設けられたループアンテナであることを特徴とする［１］乃至［５］のいずれかに記載の電子機器。
【００５０】
［７］
前記電子機器は、機器本体と、前記機器本体を装着部に装着するための装着部材と、を備え、
前記第１の表示部及び前記アンテナは前記機器本体に設けられ、
前記第２の表示部は前記装着部材に設けられていることを特徴とする［１］乃至［６］のいずれかに記載の電子機器。
【００５１】
［８］
通信対象物と無線通信を行う電子機器の制御方法において、
前記電子機器は、第１の情報を表示する第１の表示部と、前記通信対象物と近接した状態で前記通信対象物との間で電波を送受信して無線通信を行うアンテナと、第２の情報を表示する第２の表示部と、を有し、
前記通信対象物を前記アンテナに近接させて前記無線通信を行なっているときに、前記第２の表示部により、前記第１の表示部の位置と異なる位置で、且つ、前記通信対象物に覆われない位置で、前記第２の情報を表示することを特徴とする電子機器の制御方法。
【符号の説明】
【００５２】
１００    電子機器
１０２    機器本体
１０４    ベルト部
１１０    アンテナ
１２０    無線通信用回路
１３０    主表示部
１４０    副表示部
１６０    演算処理回路
２００    ＩＣカード
２１０    アンテナ
３００    通信対象物
３１０    アンテナ
【図１】
0006439932.tif 000002
【図２】
0006439932.tif 000003
【図３】
0006439932.tif 000004
【図４】
0006439932.tif 000005
【図５】
0006439932.tif 000006
【図６】
0006439932.tif 000007
【図７】
0006439932.tif 000008